(57)【要約】  本発明は、可動のアラーム発信機（１）を含むアラームデバイスにして、アラーム発信機（１）が、アラーム発信機（１）に接続されたセンサ要素（４ａ、４ｂ、４ｃ）の電気的特性の変化を検出し、変化が確認された際にはアラームを信号で伝えるように調整されているような、アラームデバイスに関しており、アラーム発信機（１）及び少なくとも１つのセンサ要素（４ａ、４ｂ、４ｃ）は、それぞれ個別のユニットを形成し、そして互いに電気的に連絡して接続可能であり、またその際、アラーム発信機（１）は再使用可能なユニットとして形成されており、少なくとも１つのセンサ要素（４ａ、４ｂ、４ｃ）は消費ユニットとして形成されている。
2016510149.tif 000002
【特許請求の範囲】
【請求項１】
可動のアラーム発信機（１）を含むアラームデバイスにして、前記アラーム発信機（１）が、前記アラーム発信機（１）に接続されたセンサ要素（４ａ、４ｂ、４ｃ）の電気的特性の変化を検出し、変化が確認された際にはアラームを信号で伝えるように調整されている、アラームデバイスにおいて、
前記アラーム発信機（１）及び少なくとも１つのセンサ要素（４ａ、４ｂ、４ｃ）が、それぞれ個別のユニットを形成し、そして互いに電気的に連絡して接続可能であり、その際、前記アラーム発信機（１）が再使用可能なユニットとして形成されており、また、前記少なくとも１つのセンサ要素（４ａ、４ｂ、４ｃ）が消費ユニットとして形成されていること
を特徴とするアラームデバイス。
【請求項２】
請求項１に記載のアラームデバイスにおいて、
前記少なくとも１つのセンサ要素（４ａ、４ｂ、４ｃ）が使い捨てユニットとして形成されていること、特に保護対象物のロック及びアンロックのプロセスによって消費されること、
を特徴とするアラームデバイス。
【請求項３】
請求項１又は２に記載のアラームデバイスにおいて、
前記アラームデバイスが、前記センサ要素（４ａ、４ｂ、４ｃ）の少なくとも１つのストック部を含んでおり、前記ストック部から又は前記ストック部によって、前記アラーム発信機（１）と接続するための、１つの単独のセンサ要素（４ａ、４ｂ、４ｃ）を取り出し可能であること
を特徴とするアラームデバイス。
【請求項４】
請求項３に記載のアラームデバイスにおいて、
少なくとも同種の、特には同一の、個別のセンサ要素（４ｃ）を複数備えること、
特には継ぎ目のないセンサ要素材料の１つのスプールを備え、そこから切り取ることでセンサ要素（４ａ、４ｂ）を取り出すことが可能であり、特にはその際、前記センサ要素材料が少なくとも片側が粘着性を有して形成されていること、
上記２つの措置のうち、少なくとも一方の措置によって、前記センサ要素（４ａ、４ｂ、４ｃ）のストック部が形成されていること、
を特徴とするアラームデバイス。
【請求項５】
請求項１から４のいずれか一項に記載のアラームデバイスにおいて、
センサ要素（４ａ、４ｂ、４ｃ）が、少なくとも１本の導電線（５）を有して、バンド形状で形成されており、前記導電線（５）が前記アラーム発信機（１）によって電気的に連絡可能であり、特に前記導電線（５）がバンド形状の前記センサ要素（４ａ、４ｂ、４ｃ）の長手延伸方向に沿って延びており、特に前記導電線（５）が前記センサ要素（４ａ、４ｂ、４ｃ）の素材によって取り囲まれており、また、前記センサ要素（４ａ、４ｂ、４ｃ）の少なくとも１つの端部にて電気的に前記アラーム発信機（１）によって連絡可能であるか、又は、前記導電線（５）が前記センサ要素（４ａ、４ｂ、４ｃ）の少なくとも１つの表面上を延びていること、
を特徴とするアラームデバイス。
【請求項６】
請求項１から５のいずれか一項に記載のアラームデバイスにおいて、
アラーム発信機（１）が少なくとも１つの収容領域（１ｃ、１ｄ）を有しており、前記少なくとも１つの収容領域（１ｃ、１ｄ）内でセンサ要素（４ａ、４ｂ、４ｃ）が前記アラーム発信機（１）と電気的に連絡して接続可能であること
を特徴とするアラームデバイス。
【請求項７】
請求項６に記載のアラームデバイスにおいて、
アラーム発信機（１）が少なくとも２つの収容領域（１ｃ、１ｄ）を有しており、それらが異なるセンサ要素（４ａ、４ｂ、４ｃ）、特には別種のセンサ要素（４ａ、４ｂ、４ｃ）を接続するために調整されていること、
を特徴とするアラームデバイス。
【請求項８】
請求項６又は７に記載のアラームデバイスにおいて、
収容領域（１ｃ）が、開口部として形成されており、前記開口部内へ、センサ要素（４ｃ）の少なくとも１つの端部を、電気的に連絡した接続を作りながら、押し入れ可能であること、又は、
収容領域（１ｃ）が、前記アラーム発信機（１）の２つの互いに回動可能なハウジング部分（１ａ、１ｂ）の間に形成された挿入領域（１ｄ）として形成されており、前記挿入領域（１ｄ）内へ、前記ハウジング部分（１ａ、１ｂ）の開放回動の後に、センサ要素（４ａ）の少なくとも１つの端部が挿入可能であり、そして、閉鎖回動によって電気的に連絡可能であること、
を特徴とするアラームデバイス。
【請求項９】
請求項１から８のいずれか一項に記載のアラームデバイスにおいて、
アラームデバイス特にはアラーム発信機（１）が、通信モジュールを含んでおり、前記通信モジュールを用いて少なくともアラーム作動時にアラームを信号で伝える通知が、通信デバイス特には携帯電話へ、送信可能であること、
を特徴とするアラームデバイス。
【請求項１０】
請求項９に記載のアラームデバイスにおいて、
アラーム発信機（１）が、前記アラーム発信機（１）へ通信されそして前記通信モジュールによって受信される通知によって、無効化可能であること、
を特徴とするアラームデバイス。
【請求項１１】
請求項９又は１０に記載のアラームデバイスにおいて、
限られた期間に渡って又は限られた回数のコミュニケーションを介して、通信モジュールを介しての、通知の発信及び／又は受信が可能であり、特にはその際前記期間が延長可能である又は前記回数が増加可能であるように、前記アラーム発信機（１）が調整されていること、
を特徴とするアラームデバイス。
【請求項１２】
請求項１から１１のいずれか一項に記載のアラームデバイスにおいて、
前記アラーム発信機（１）が、特にはその表面上に、好ましくは回動可能な１つのハウジング部分（１ａ）の表面上に、少なくとも１つの操作要素（１ｆ）、特には少なくとも１つのボタンキー（１ｆ）を有しており、それを用いて前記アラーム発信機（１）が有効化可能であること、
を特徴とするアラームデバイス。
【請求項１３】
請求項１から１２のいずれか一項に記載のアラームデバイスにおいて、
前記アラーム発信機（１）が、特にはその表面上に、好ましくは回動可能な１つのハウジング部分（１ａ）の表面上に、少なくとも１つの照明装置を有しており、特にはこの照明装置を用いて、
アラームを視覚的に信号で伝えることが可能であり、
実行された行動、特に有効化又は無効化、を確認するための、視覚的な確認報告を使用者へ出力可能であり、また、
継続的又は断続的な発光をもたらすこと可能である
ことを特徴とするアラームデバイス。
【発明の詳細な説明】
【技術分野】
【０００１】
本発明は、可動のモバイルアラーム発信機を含むアラームデバイスに関するものであり、このアラーム発信機は、アラーム発信機に接続されたセンサ要素の電気的特性の変化を検出するように、及び、変化が確認された場合にアラーム（警告）を発するように、調整されている。
【背景技術】
【０００２】
従来技術においては、この種の複数のアラームデバイスが知られており、また、不法な窃盗に対して対象物を保護するために優先的に使用される。例えばその種のアラームデバイスの様態で、自転車の錠を装備することが知られており、そのような場合、アラームデバイスは利用者によって持ち運び可能であり、それはすなわち基本的に携帯可能（可動）なものとみなされ得る、そして通常、環境において、自転車また場合によってはある対象物に、固定することが出来る鋼製ロープを有している。その種の鋼製のロープは、一方の端部で、アラーム発信機に固定的に接続されており、それに対し他方の端部は開放しているので、この端部をその後ロック機能をも同時に有しているアラーム発信機と接続するために、例えば自転車のスポークを通して又はフレームを通して導くことが出来る。
【０００３】
優先的な機能は、例えばここでは自転車のような保護対象の窃盗を防ぐことであるが、従来技術においては、鋼製ロープの切断が検出され、それに基づいてアラーム、特には音響アラームが発せられる実施も知られている。そのような検出を可能にするために、冒頭で述べた鋼性ロープによって電気回路が形成され、鋼性ロープの切断時のその開放がアラーム発信機によって検出されることが知られている。
【０００４】
この場合、そのようなアラームデバイスが、センサ要素として形成された鋼製ロープの切断によって破壊されること、つまりそれ以降更なる使用が不可能であることが、問題である。
【０００５】
更に、窃盗を困難又は不可能にするべきセンサ要素を備えるその種のアラームデバイスは、重量が非常に大きいという欠点を有しているので、そのようなアラームデバイスは、基本的に可動ではあるものの、利用者によって快適に持ち運ばれ得るものではない。
【０００６】
更に、そのようなアラームデバイスの別の短所は、これらのアラームデバイスが、例えばこの場合自転車の窃盗の困難化やその音響的な通報のような、特別な使用状況に合わせられているので、そのような既知のアラームデバイスは通常、全般的に利用出来るものではないことである。
【発明の概要】
【発明が解決しようとする課題】
【０００７】
従って、本発明の課題は、軽量であって、人による持ち運びが容易であって、好ましくは異なる対象を保護（防犯）するために全般的に利用可能であって、特には、センサ要素が破壊された場合でも、複数回にわたって、少なくとも部分的に、再利用することが可能である、冒頭で述べた従来の様態のアラームデバイスを作成することである。
【課題を解決するための手段】
【０００８】
この課題は、本発明に従って、上述のその種のアラームデバイスを用いて、解決され、その際、このアラームデバイスは本発明に従って、アラーム発信機及び少なくとも１つのセンサ要素が、それぞれ個別のユニットを形成し、また、互いに電気的に連絡して接続可能であり、特には機械的（力学的）に互いに固定して接続可能であり、その際、アラーム発信機が再利用可能なユニットとして形成されており、また、少なくとも１つのセンサ要素が使い捨てユニット（一度限り使用可能なユニット）として形成されているように、構成されている。
【０００９】
本発明の第１の本質的に中心的着想は、アラーム発信機及び少なくとも１つのセンサ要素を、個別のユニットとして形成することであり、それによって、例えば権限のない人物による又は場合によっては権限のある利用者による、起こり得るセンサ要素の破損が、アラームデバイス全体の破損を導きはせず、少なくともアラーム発信機はその後も使用可能であり、後に続く使用者にとっては新しいセンサユニットが使用されなければならないのみである。
【００１０】
更に、従来技術の場合と同様に、センサ要素の電気的特性（電気的性質）の変化によって警告状況を認識するために、そして対応的に信号を発するために、アラーム発信機及び少なくとも１つのセンサ要素が電気的に互いに連絡して接続されることが企図されている。
【００１１】
更に、正規の状態において、アラーム発信機と少なくとも１つのセンサ要素の間に、これら両ユニットを電気的に連絡して接続させた後で、少なくとも１本の導電路が閉じられ、特には少なくとも１つの回路が閉じられ、また、例えばセンサ要素の切断によるその開放が、アラーム発信機によって検出されそして信号で伝えられることが企図され得る。
【００１２】
少なくとも１つの閉じた回路の開放或いは少なくとも１つの閉じた導体ループの開放の代わりに、反対のケースすなわち少なくとも１つの開いた回路が通常状態として見なされ、そして、センサ要素での例えば移動、接触又は回転等の措置による、少なくとも１つの回路の閉鎖が、警告状況を表し、そしてそれがアラーム発信機によって検出され、また信号で伝達されるように、センサ要素及びアラーム発信機を形成することも可能である。
【００１３】
それとは異なる別の構成では、その変化が調べられる電気的特性として、単に開いた回路又は閉じた回路の存在を調べるのではなく、その代わりに回路の抵抗を調べることも企図され得て、その場合、当該抵抗は例えば、センサ要素での操作的措置によって変更され得て、例えば、切断によっては高い抵抗となり、閉鎖によっては低い抵抗となる、又は、特にはこれらの両極端の間の抵抗変化によって、特にはアラーム発信機及びセンサ要素の間の接続を作った際に確定された、当初の抵抗値が変化する。
【００１４】
またこの場合、センサ要素の、例えば延伸、圧縮、曲げ、接触によって、しかしまた、湿潤又は乾燥によって、変化がもたらされ得るので、そのような状態変化もまた間接的にそのような抵抗を介して検出され得る。同様に、センサ要素において湿潤変化を、抵抗とは異なる別の電気的な測定量によって、検出することも可能である。
【００１５】
従って常に、アラーム発信機が、そのアラーム発信機に接続された少なくとも１つのセンサ要素において、センサ要素での操作によって引き起こされる変化に関して、電気的な測定値を監視することが本質的である。
【００１６】
センサ要素を消費ユニットとして形成するとは、本発明に従えば、少なくともその種のセンサ要素が、特には初回の使用後に、すなわち、アラーム発信機との接続、及び／又は、保護対象／監視対象との接続の後に、任意の頻度、すなわち繰り返し、再利用され得るのではなく、せいぜい制限された回数で数回利用され得ること、として理解される。他方で、本発明に従うアラームデバイスの好ましい実施形態は、少なくとも１つのセンサ要素が使い捨てユニットとして形成されていること、特には保護対象のロック及びアンロックプロセス（防犯及び防犯解除プロセス）によって消費されるか又は警告状況が一度発生することによって消費されること、を企図出来る。
【００１７】
その際、対象のロックには、少なくともセンサ要素を対象物へ取り付けることが含まれ、好ましくは同時にアラーム発信機と（電気的及び機械的に）接続することも含まれる。
【００１８】
従って、その種のセンサ要素を対象物と接続するために、そして好ましくはアラーム発信機と接続するために、そのセンサ要素を一回だけ利用することが可能であり、それにより、センサ要素及びアラーム発信機の間の電気的な接触部が閉じられ、アラーム発信機による上述の電気的特性の変化の検出が可能である。
【００１９】
それに反して、保護対象物のアンロック工程では、センサ要素が保護対象物から取り外された場合又は切断された場合、又は、センサ要素及びアラーム発信機の間の接続が解消された場合、本発明に従って、好ましくは先に使用されたまさにそのセンサ要素が、再度アラーム発信機と接続され得ないこと、従って再度使用出来ないこと、少なくとも機能を回復して再度使用出来ないことが企図され得る。
【００２０】
しかしながら、センサ要素が保護対象／監視対象に取り付けられたままであり単にセンサ要素及びアラーム発信機の間の接続が解消された場合には、センサ要素の再利用が可能であるような実施も企図出来る。センサ要素が対象物から外された場合においてのみ、センサ要素は消費された状態となる、なぜなら特にはセンサ要素は、例えば、引きちぎる又は引き裂くことにより、機械的又は電気的に破壊してのみ取り外すことが出来るからである。
【００２１】
例えば、アラーム発信機及びセンサ要素の間で一度作られた接続部を、例えばセンサ要素の（電気的及び／又は機械的な）破壊のような、センサ要素の消費をもたらす出来事ないしに、再度アラーム発信機又は保護対象或いは監視対象から取り外し得ないことも企図され得る。
【００２２】
アラームデバイスの本発明に従う実施にとって必須ではないが、センサ要素を使い捨てユニットとして形成することが企図され得るものの、消費ユニットの具体的な実施とは無関係に、本発明の好ましい発展形態は、アラームデバイスがセンサ要素のストック部を含んでおり、そこから又はそれにより、アラーム発信機と接続するための、少なくとも１つの個別のセンサ要素を取り出すことが出来ることを企図する。
【００２３】
またこれにより、存在するストック部に基いて、利用者が新たに任意の対象物をロックするためにアラーム発信機を使用するために、繰り返し新しいセンサ要素を利用出来るという状況が考慮される。
【００２４】
更に、保護対象物又は監視対象物へのセンサ要素の取り付けの異なる措置を可能とするために、異なる種類のセンサ要素を、例えば商品の種類で、ストックとして用意することも企図され得る。
【００２５】
例えば、平らな物体と特に良好に、例えばその表面に粘着して、接続され得るセンサ要素、又は、物体の周りに特に良好に配され得る、例えばバンド形状のセンサ要素も、企図され得る。
【００２６】
ストック部を形成する可能性の一つとして、その種のストック部が、少なくとも同種の、それどころか特には同一の、複数の個別のセンサ要素を含んでおり、そしてそれに従い、このストック部からその都度、アラーム発信機と共に使用するために、これらのセンサ要素のうち少なくとも１つが取り出され、そして、アラーム発信機と接続することによって使用され得ることが企図され得る。
【００２７】
このケースでは好ましくは、「同種」とは、個別のセンサ要素が、物体への取り付け及び電気的特性の変化に関して、同一の作用方法を有していることとして理解される。これは例えばバンド形状の要素においては、それらの要素は例えば異なる長さを有して、例えばストック部内に存在し得て、その点では異なる長さに基づきそれらは同一ではないものの、しかしながらそれらは少なくとも同種ではある。
【００２８】
別の実施は、ストックがセンサ要素材料を巻いたもの（スプール）によって、特には継ぎ目のなく連続したセンサ要素材料のスプールによって形成されているので、それにより、その様なスプールからセンサ要素材料の一部分を切り取り、その際、切り取られた材料の一つがアラーム発信機との接続に使用されるセンサ要素である、という一つの可能性がもたらされること、を企図出来る。これは、その様なスプールから必要に応じた異なる長さのセンサ要素を引き出すことが出来る、という長所を有している。
【００２９】
その様なスプールは、簡潔な場合では、ある種のケーブルドラムでありえて、そこからは、少なくとも一本の導電性の導線を有するケーブルが、このケーブル或いはその少なくとも１本の導線をアラーム発信機と接続させるために、所望の長さで切断される。
【００３０】
この場合、その種のスプールが少なくとも片側に粘着性を有するセンサ要素材料によって形成されているので、それにより、それ自体で粘着性を有するセンサ要素が用意され、そのセンサ要素は利用者によって容易な手段、方法で、保護対象物に粘着して取り付けられ得るので、特には、例えば閉じられたままの扉のような、別の対象物に対して移動してはならない対象物に粘着して取り付けられ得るので、場合によっては起こり得るその様な移動を、保護対象物に粘着的に固定されたセンサ要素が破られることによって検出出来ること、が企図され得る。この場合も、それ自体が粘着性を有するその様なセンサ要素は、少なくとも１本の導電性の導線を含み得る。
【００３１】
既に冒頭で言及したように、センサ要素は、例えばそして本発明のために好ましくは、バンド形状で形成されていてもよく、その際、その種のセンサ要素が、直接それ自体が導電線、特にはケーブルによって形成されていること、又は、好ましい実施においては、その種のセンサ要素が少なくとも１本の、アラーム発信機によって電気的に連絡可能な導電線を有していること、が企図され得る。好ましい方法では、バンド形状のセンサ要素においては、この少なくとも１本の導電線が、バンド形状のセンサ要素の長手延伸方向に沿って延ばされている。
【００３２】
ここでは例えば、少なくとも１本の導電線がセンサ要素材料によって取り囲まれており、また、この少なくとも１本の導電線がセンサ要素の少なくとも一つの端部でアラーム発信機によって接触することが可能であり、例えば、センサ要素の少なくとも１本の導電線の複数の端部が、センサ要素の少なくとも一方のバンド端部において、場合によっては両方のバンド端部において、表面へ導かれており、またそれに従い、その場において、自由にアクセス可能であることによって、又は、少なくとも１本の導線を取り囲むセンサ要素材料の複数の端部が開放されており、従って、少なくとも１本の導線がその場で露出していることによって、この接触が可能であるような、様々な実施が考えられる。
【００３３】
ここで代替的に、少なくとも１本の導電線が、本発明に従うバンド形状のセンサ要素の内部において、センサ要素の全長に渡り、また従って端部においても、センサ要素材料内に埋め込まれており、従って、センサ要素の内部で完全に絶縁された状態にあり、そして、センサ要素及びアラーム発信機の間の電気的に連絡した接続が、センサ要素材料を貫通して、素材内部に配された少なくとも１本の導電線との接続を獲得するために、センサ要素材料が接続位置にて少なくとも部分的にアラーム発信機との接触することによって貫通されることによりもたらされること、が企図され得る。
【００３４】
別の実施形態は、少なくとも１本の導電線、特にはバンド形状のセンサ要素の長手延伸方向に延びる導電線が、センサ要素の表面上に配設されていることも企図出来る。
【００３５】
センサ要素が粘着バンドによって実現されているような或いはセンサ要素が少なくとも片側に粘着性を有する表面を備えているような実施形態や本発明に従う他のセンサ要素においては特に、少なくとも２本の導電線がセンサ要素の長手延伸方向で表面上に配設されていることによって、このセンサ要素をそれ自体に重ねて折り畳むことにより、表面に存する導電線が互いに交差し、そしてそれに従い導電線間の電気的な接触が閉じられ得ることを企図出来る。
【００３６】
従って、例えばケーブルバンドとして構成されたセンサ要素がケーブルバンドの表面上に例えばケーブルバンドの粘着性のある表面に存する、２本の平行な導電線を有していることによって、その種の粘着バンド状のセンサ要素の一方の端部に、アラーム発信機との同一の接続を行うことが可能であり、そのため、このアラーム発信機は、両方の導線のそれぞれと連絡しており、またその際更には、粘着バンドの他方の端部にて、同一の粘着バンドをそれ自体に重ねて折り返すことによって、導電線の前述の交差が達成されるので、アラーム発信機及び粘着バンドの両導電線の間に、全体として閉じた回路がもたらされることが企図され得る。
【００３７】
例えばドア本体やドア枠のような保護対象物に粘着的に固定されているような粘着バンドが裂けることは従って、粘着バンドの断裂及び導電線の少なくとも一方の切断を導き、これはアラーム発信機によって相応に検知され、また、信号で知らされ得る。
【００３８】
当然、そのようなバンド形状のセンサ要素の内部に、複数すなわち特には３本以上の導電線を設けることも可能であり、それらの導電線は、場合によっては起こりえるアラーム発信機についての電気的特性の変化を確認出来るようにするため、アラーム発信機において少なくとも２つの対応する接触要素と、好ましくはアラーム発信機において対応する数の接触部と電気的に接続され得る。
【００３９】
少なくとも１つのセンサ要素及びアラーム発信機の間の電気的な接触に加えて、それらを接続する際には、常に互いに機械的に固定される。
【００４０】
アラーム発信機及びセンサ要素の間の接続のためには、共通して、アラーム発信機が少なくとも１つの収容領域を有し、そこでセンサ要素がアラーム発信機と電気的に連絡して接続可能であることが、企図されている。それは差し込み接触（プラグ接触）、表面接触であってもよいし、他方で、接触要素によって、導電線を取り囲むセンサ要素材料を突き刺したピアシング接触であってもよい。特には、そのようなピアシング接触によって、機械的な固定も同時に実行される。
【００４１】
好ましい発展形態はここで、アラーム発信機が異なるセンサ要素を接続するために調整されている少なくとも２つの収容領域を有すること、も企図出来る。そうして、例えばケーブルバンドとして実施されているセンサ要素を、これに関して設けられている特別な収容領域内で、アラーム発信機と接続することが可能であり、他方で、別種のセンサ要素、例えば一つの環にして取り回されているバンド形状のセンサ要素を、別の収容領域内で、アラーム発信機に接続出来る。
【００４２】
アラーム発信機が、特には、用いられる１つのセンサ要素のために、少なくとも２つの同一の収容領域を有し、そのセンサ要素が、センサ要素とアラーム発信機の間の電気的に連絡した接続を獲得するために、それぞれの端部と共に、それらの収容領域の１つずつに挿入されることも、当然可能である。
【００４３】
例えば、収容領域が開口部として、例えばスリット形状の開口部として形成されており、その中へセンサ要素の少なくとも１つの端部を押し入れることが可能であり、その際に、電気的に連絡した接続が作られること、特には機械的な接続もまた作られることが、企図され得る。
【００４４】
この実施においては、例えば開口部内に、スライド接触部が設けられていてもよく、このスライド接触部は、センサ要素の端部を押し入れる際、センサ要素の表面の接触領域と接触し、そうして、センサ要素に対する電気的な接触を作成する。この場合、そのような開口部内に、２つの互いに向かい合った電気的な接触部が配設されており、それらの間に、バンド形状のセンサ要素の、特には少なくとも１本の導電線を有しているセンサ要素の、一方が開放している端部、また場合によっては両方が開放している端部が挿入されるので、これに関して、アラーム発信機及びセンサ要素の間の全体として閉じられた回路が作成可能であることも企図され得る。
【００４５】
その際、バンド形状のセンサ要素内で１本の導電線は、それぞれの端部領域を無視すると、内部にすなわち絶縁されて案内されており、また、端部領域では導電線がセンサ要素の表面へと案内されており、特には、センサ要素の、互いに向かい合う両方の端部にまた同様にセンサ要素の向かい合う表面側に、案内されているので、従って例えば１つの接触要素がセンサ要素の一方の端部にて上部側に、そして１つの接触要素が他方の端部にて下部側に存在することが企図され得て、これは、特に、両端部が重なりあっており、更に接触要素が互いに背けられた面側に配設されている場合、センサ要素の環を形成しそしてアラーム発信機の開口部へ挿入した後、互いに向かい合って配設された環接触部との接触を容易にする。
【００４６】
センサ要素或いはその内部に存する導電線と接触するために、センサ要素の少なくとも１つの端部が、アラーム発信機の収容領域の開口部へ挿入され、そして、アラーム発信機の内部機構によって、特にはアラーム発信機の対応する操作要素の機械的な操作に従って、ピアシング接触部が移動しそしてセンサ要素材料を通って貫通されること、も企図され得る。
【００４７】
１つの収容領域が、特には１本の軸の周りで折りたたみ可能な、互いに回動可能な、アラーム発信機の２つのハウジング部分の間に形成された、１つの挿入領域として実現されており、その内へ、センサ要素の少なくとも１つの端部が、ハウジング部分を開放回動した後に挿入可能であり、また、閉鎖回動することによって、電気的に連絡可能であること、同様に特には機械的に固定可能であること、も企図され得る。
【００４８】
例えば、ケーブルストライプとして形成されたセンサ要素、特には片側に粘着性があるケーブルストライプとして形成されたセンサ要素が使用される場合に、挿入領域を有する上述のような構成が企図され得る。この場合、挿入領域内に、少なくとも１つの、好ましくは２つの接触要素が設けられており、それによって、少なくとも１つの導電線に対する、好ましくは２つの導電線に対する、少なくとも１つの電気的接続が、センサ要素の内部或いはセンサ要素の表面に作成されることが企図され得る。
【００４９】
本発明に従うアラーム発信機に関しては更に、本発明と共に用いられるセンサ要素が、可能な構成バリエーションにおいて、それ自体で、保護対象物を能動的（アクティブ）に保護するのではなく、それゆえ特には保護対象物の起こり得る窃盗又は保護対象物の移動を困難にするのではなく、本発明と共に用いられるセンサ要素は、単にそのような望まれない出来事を、可能な限り確実且つ即座に検出するために設けられていることが指摘される。
【００５０】
従って、本発明に従う種類のセンサ要素が特に文字通り容易に破壊され得えること、すなわち、特に容易に最軽度の機械的応力（機械応力）によって既に、例えばセンサ要素内又は上に配設された少なくとも１つの導電線の引き裂きのようなそのようなセンサ要素の電気的特性の変化、が引き起こされることが企図され得る。これは特に、センサ要素が、少なくとも片側に粘着性のある粘着バンドであって、その内又は上に存する少なくとも１本の導電線を有する粘着バンドとして形成されているような実施形態が当てはまる。
【００５１】
本発明に従うアラーム発信機の好ましい発展形態は、そのようなアラーム発信機が通信モジュールを含んでおり、それを用いて、少なくともアラームが作動した場合に、アラームを信号で知らせる通知が、通信デバイス特には携帯電話に、送信可能であることを企図出来る。
【００５２】
この場合例えば、使用者が、本発明に従うアラームデバイスに、自身の携帯電話番号を入力し記憶させられることが企図され得て、これは、使用者がアラーム発信機に対して、音の聞こえる範囲又は目に見える範囲にいない場合でも、従って、場合によっては発せられる音響的又は視覚的なアラーム状況の合図信号を認識出来ない場合でも、警告状況において、使用者が、例えばＳＭＳやＥメール又はその他の報告といった通知を、自身の携帯電話に受け取り、従って警告状況に気づかされることを確実にするためである。
【００５３】
単なるアラーム作動とは異なる別の通知、例えばアラームデバイスの正規の状態についてのステータス報告、が通信デバイスへ伝達されることも企図され得る。
【００５４】
本発明はここで、通信モジュールとの無線通信機能を利用可能とするため、アラームデバイス特にはアラーム発信機が、任意の携帯電話会社のＳＩＭカードを収容することが可能で、その場合、使用者が、どの電気通信プロバイダ（テレコミュニケーションプロバイダ）を介して通知が送られるかを、決定出来ることを企図出来る。
【００５５】
それとは異なり本発明は、アラームデバイスの通信モジュールが既に、固定的に搭載されたＳＩＭカード機能を有しており、従って既に製造者側で特定のプロバイダと結び付けられており、また、使用者が本発明に従うその種のアラームデバイスを購入する際に、対応するプロバイダの無線通信ネットワークを介した、アラームデバイスの使用権をも同時に購入することも企図出来る。
【００５６】
この場合、アラーム発信機は、限られた期間に渡ってのみ又は限られた回数のコミュニケーションを介してのみ、通信モジュールを介した、通知の発信又は同様に受信が可能であるように、調整されているので、その期間が経過した後又は限られた回数のコミュニケーションが実行された後では、アラーム発信機が自動的に使用不能な状態にセットされ、そして、アラーム発信機は交換されなければならないか、又は、例えば使用期間又はコミュニケーション回数を後から買い足すことによって、使用期間の延長或いは利用可能なコミュニケーション回数の増加が行われなければならないことも企図され得る。
【００５７】
本発明の実施はここでは、アラーム発信機へ通信され通信モジュールによって受信された通知によって、アラーム発信機が無効化可能であることも企図出来る。従って例えば、アラームデバイスの所有者がその場にいないに場合であっても、アラーム発信機へ対応する通知を送ることによって、遠方からでも、本発明に従うアラームデバイスにより保護された対象物の使用を、第三者のために、許可することが可能である。
【００５８】
同様に、その種のアラームデバイスの権限のある所有者が、自身の携帯電話を持ち運び且つ対応する通知をアラームデバイスの通信モジュールへ送信すれば、この所有者は、アラームデバイスを無効化することが出来る。
【００５９】
この場合、特には、有効化（アクティベーション）、無効化（ディアクティベーション）、又は、例えば使用期間等についてのステータス報告といった、それ以外の報告を目的に、アラーム発信機とコミュニケーション通知を取り交わすために、携帯電話上で、特にはスマートフォン上で、実行可能なアプリケーションが備えられていてもよい。
【００６０】
アラーム発信機は更に、特にはその表面に、好ましくは回動可能なハウジング部分の表面に、少なくとも１つの操作要素、特には少なくとも１つのボタンキーを有していてもよく、それを用いて、アラーム発信機を有効化及び／又は無効化することが出来る。従って、別の実施は同様に、本発明に従うアラームデバイスがアラーム発信機自体においても有効にされ得ることが企図出来る、これは例えば、暗証番号（ＰＩＮナンバー）の入力によって、特定のキー順の押圧によって、又は、鍵を用いて作動可能な錠によって、又は従来技術において既知のその他の措置によって、行うことが出来る。
【００６１】
「有効化」とはここでは特には、アラーム発信機がセンサ要素の電気的特性の変化について調べること及び変化がある場合には信号で伝えることを開始すること、を意味している。その際、アラーム発信機が先ず、電気的特性の初期状態を検出し、そこから外れた変化を認識出来るように、通常状態のための基準状態として保存することが企図され得る。「無効化」或いは「解除」とは特に、前述の監視を終えること、従って、その後引き続いて変化が生じた場合でも、警告状況が作動されない或いは信号で伝えられないこと、を意味している。
【００６２】
同様に、少なくとも１つのその種のボタンキーを用いて、又は、アラーム発信機の２つのハウジング部分の相互の回動によって、センサ要素及びアラーム発信機の間の機械的な固定、又は、接続の解消がもたらされ得る。特に、アラーム発信機及びセンサ要素の、電気的及び／又は機械的接続を目的とした、２つのハウジング部分の企図された回動においては、アラーム発信機を閉じた状態に導く回動の際に、他の操作を必要とすることなく、自動的にアラーム発信機の有効化も行われることが、企図され得る。
【００６３】
別の構成は、アラーム発信機が、特にはその表面に、好ましくは、回動可能な１つのハウジング部分の表面に、少なくとも１つの照明装置を有することを企図出来る。この場合、この照明装置を用いて、アラームが視覚的に信号で警告可能であり、及び／又は、実行された行動特に有効化又は無効化を確認するための視覚的な確認報告を出力可能であり、及び／又は継続的又は断続的な発光をもたらすことが出来る。後者は、人物がこのアラーム発信機を携えている場合、例えば道路交通における人物用の照明として使用され得る。
【００６４】
１つの実施では、アラーム発信機が位置測定のための装置、例えばＧＰＳ受信機を含んでおり、特にはその際に、検出された位置座標をその場にある通信モジュールを介して、例えば携帯電といった受信側の通信デバイス又はコンピュータにも、送信出来ることも企図され得る。従って、アラーム発信機が盗まれた場合には、これの位置を特定し、再び見つけ出すことが出来る。また、アラーム発信機が動かされたこと、特に有効化の際に保存された座標が変わったことを、アラーム発信機が確認した場合に、アラーム発信機が、アラームを前述の複数の方法によって信号で伝えることも企図され得る。
【００６５】
可能な発展形態は、アラーム発信機を水密な構成とすることも企図し得て、これは、それに従い、屋外範囲つまり環境影響下及び特には種々の天候条件下での使用をも可能にするためである。特には、収容領域、或いは、センサ要素の挿入のためのその開口部は、この場合対応する密閉手段を含んでいる。
【００６６】
本発明の実施形態は、以下に記載される。
【図面の簡単な説明】
【００６７】
【図１】本発明に従うアラームデバイスの概略図を示す。
【図２】センサ要素が片側に粘着性のある粘着テープとして形成された実施形態を示す。
【図３】センサ要素が結束バンドとして形成された実施形態を示す。
【図４】感湿性を有するセンサ要素が使用されている実施形態を示す。
【図５】アラーム発信機がセンサ要素用の２つの収容領域を有する実施形態を示す。
【図６】センサ要素及びアラーム発信機の間の、複数の接続の可能性を示す。
【発明を実施するための形態】
【００６８】
図１は、本発明に従うアラームデバイスの概略図を示しており、当該アラームデバイスは、本発明に従い、１つのアラーム発信機１を含んでおり、これは例えば、ここでは断面が丸型で表されたハウジングを備える可動ユニットとして形成されているが、本発明は、図示されているハウジング形状に限定されるものではない。ＳＩＭカード２を挿入することによって、アラーム発信機１は、アラーム発信機１によって検出される起こりえる警告状況を、ＧＭＳモバイル通信ネットワーク３を介して、ここでは図示されていないコミュニケーションデバイス例えば正規の利用者の携帯電話へと、通信するという機能性を有する。
【００６９】
アラームデバイスは、本発明に従うと、モバイルアラーム発信機１のみから形成されているのではなく、消費ユニットとして形成されるセンサ要素の、少なくとも１つのストックを有しており、その際、図１はこの実施において３つの異なる種類のセンサ要素４ａ、４ｂ、４ｃがあることを示している。この場合、センサ要素４ａ、４ｂはスプールストック（リールストック）として形成されており、またそれゆえ、巻き込み量による制限を無視すれば、本質的にセンサ要素の継ぎ目のないストックを形成する。
【００７０】
この場合は、センサ要素４ａは例えば、少なくとも１つの導電線、ここでは象徴的に６本の導電線５を備えるケーブルバンドによって、形成された。そのように形成されたセンサ要素をアラーム発信機と接続するために、そしてそれによって、アラーム発信機及びセンサ要素の間の少なくとも１つの電気回路を閉じるため、１本のケーブルバンドをスプールストックから引きちぎる又は切り取ることが可能であり、その際、ケーブルバンドとして実施されたセンサ要素を任意の対象物に貼り付けて固定することが出来る。
【００７１】
センサ要素は、ここでは例えば、ケーブルヨリ線４ｂによって形成されてもよく、当該ケーブルヨリ線も同様にスプールストックから所望の長さを引き出すことが出来る。ここで図示される実施形態においては、ケーブル被覆内に２本の導電線５が設けられており、それらは、少なくとも１つの電気回路を閉じるために、アラーム発信機１と接続され得る。この電気回路の閉鎖は、少なくとも、そのようなセンサ要素４ｂの他方の端部にて導電線５がアラーム発信機１の外部で互いに接続された後で、又は、同様にこの端部がアラーム発信機１と接続された後で、行われる。
【００７２】
実施４ｃに従うセンサ要素は例えば、結束バンドの機械的（力学的）な構造を有していてもよく、その場合、このセンサ要素の、穴（止め輪）として形成された一方の端部を通って、他方の端部を導き、それによって１つの閉じた輪を形成すること、及び、形成された輪が穴の使い捨て機能に基いて、縮小され得るのみであること、が企図される。この場合、そのようなセンサ要素内に、追加的にここでは不図示の少なくとも１つの導線要素が配設することが企図され得て、当該導線要素は、（穴なしの）開放している端部を、アラーム発信機１へ挿入した後、例えばアラーム発信機１内の接触部によって、接触され、この対応する接触部は、少なくとも１つのセンサ要素４ｃの内部の導線要素がその表面上の開放端部に導かれている限り、センサ要素の端部の表面で接触する。センサ要素内に埋め込まれた少なくとも１つの導線と接触するために、アラーム発信機内の少なくとも１つのピアシング接触部を用いて、センサ要素の材料を貫通してもよい。
【００７３】
これらのセンサ要素が消費ユニットとして形成されており、従って、それらを使用した後で、特には保護されるべき対象をアンロックした後で、これらのセンサ要素が破棄されること、そして、新たなセンサ要素が、例えばストックから取り出すことによって、使用されることが、センサ要素の異なる全ての実施４ａ、４ｂ、４ｃにとって若しくはここでは示されていない可能な別の実施にとって、本質的である。
【００７４】
図２は、片側に粘着性のある粘着テープ４ａとして形成されており、また、この場合では２本の導線を有するセンサ要素の使用について明示しており、これら２本の導線は、粘着テープ内で長手延伸方向で互いに平行に配設されているか、又は、好ましい構成では粘着テープの表面に、特には粘着性のある表面に、配設されている。
【００７５】
図２の左側には、ストックから切り取られた一片の粘着テープ４ａが示されており、これはまだ、アラーム発信機１に差し込まれてはおらず、またアラーム発信機１と接続していない。この場合本発明に従う構成は、アラーム発信機が２つのハウジング部分、すなわち上部ハウジング部１ａ及び下部ハウジング部１ｂを有し、それらが例えばヒンジ軸の周りで互いに回動可能であり、それによって収容領域６が開放され、この収容領域６はこのケースでは２つの接触部を有しており、これらの接触部は、粘着テープの導電線５の間と同一の間隔で配置されていること、を企図している。
【００７６】
ケーブルバンドはこの場合、下方の粘着性のある面と共に、そして従って、粘着性のある面に配された導線と共に、収容領域６内へはめ込まれ、その後両方のハウジング領域が互いに回動し、それに従って、収容領域６が閉じられるので、アラーム発信機１及びセンサ要素４ａの間に、電気的な接続がもたらされる。
【００７７】
図２の中央には、ケーブルバンドのそれまで開放していた端部を、４５度折り曲げ、そしてそれに従ってケーブルバンド自体に重ねて折りたたむことが出来ることが示されており、そうして、折りたたまれた領域で平行な２本の導線を交差させ、平行な２本の導線５とアラーム発信機１の間に閉じた電気回路を実現する。
【００７８】
図２の右側には、可能性として考えられる１つの使用分野、すなわちここでは例えば扉又は窓の保護（防犯）が視覚化されており、これは、粘着テープとして形成されたセンサ要素４ａが、その粘着性のある面で、ドア面及びドア枠上に、或いは、開き窓及び窓枠上に貼り付けられることによって行われるので、ここではセンサ要素４ａがちぎられ、それによって導線５の間の閉じた電気回路が開放されまた従ってアラーム発信機１により警告状況が検知される場合のみ、ドア又は窓を開けることが可能である。それに引き続きこのアラーム発信機１は、例えば、音響的及び／又は視覚的及び／又は通知を文字にして、この警告状況を、通信モジュールを用いて、ここでは不図示の電気通信機器へ、信号で伝える。
【００７９】
図３には、図１のセンサ要素４ｃを用いて接続したアラーム発信機１の使用が示されており、センサ要素４ｃはここでは結束バンドの形状をしている。図３の左側には、アラーム発信機１が開口部１ｃを備え得ることが明示されており、この開口部１ｃを通してセンサ要素４ｃをアラーム発信機１内へと押し入れることが可能であり、その際開口部１ｃ内には、センサ要素４ｃ内に配された少なくとも１つの導電線と電気的に接続するために、複数の電気的な接触部が設けられている。既に述べたように、これは表面的な接触であっても、貫通した接触であってもよい。
【００８０】
開口部１ｃを通って押し入れられた、センサ要素４ｃの解放端部は、センサ要素４ｃの穴部を通して１つの閉じた輪を形成するため、１つの輪に導くことが可能であり、結束バンドのものとして知られている様な機能に基いて、この輪を再び開くことは出来ない、なぜならそれは、センサ要素４ｃの解放端部及び穴部の間の使い捨てのラッチ接続であって、それは縮小され得るのみだからである。
【００８１】
図３の右側には、例えば自転車フレームを、輪に形成されたそのようなセンサ要素を用いて、柱にロック出来ることが示されており、このセンサ要素は、点検可能な電気回路を作成するために、形成された環の内部、又は開放端部に、そしてまたアラーム発信機１の開口部１ｃを通って或いは内へ、導かれている。自転車はそれゆえ、センサ要素４ｃが切断された場合においてのみ、柱から取り外され得る、その際、センサ要素４ｃの切断は、電気回路の切断も引き起こし、これは、アラーム発信機がそれ以前に解除されなかった場合、アラーム発信機によって検出され、そして信号で伝えられる。
【００８２】
図４は、センサ要素のその他の実施を明示しており、このセンサ要素は図１には図示されていない。それは、例えば降雨時の水気（湿気）のもとで、それ自体の抵抗又はその他の電気的特性を変化させるようなセンサ要素４ｄである。
【００８３】
この場合、図２の記載のように、アラーム発信機の両方のハウジング部分１ａ及び１ｂの間に、その種の感湿性を有する或いは天候を感知する一般的なセンサ要素の端部が、収容領域６内へはめ込まれること、そうして、アラーム発信機及びセンサ要素４ｄの間の電気的な接続が獲得されることが企図されている。
【００８４】
センサ要素４ｄに雨が当たると、このセンサ要素４ｄはそれ自体の電気的特性例えば抵抗を変化させ、これは、アラーム発信機に対する電気的な接続により、このアラーム発信機によって確認され得て、その後、このアラーム発信機は、例えば視覚的、音響的又は電気通信により、警告を信号で伝える。
【００８５】
図４の右側には、可能性として考えられる１つの使用分野、すなわち例えば屋根を開けた状態で駐車されたカブリオレの保護が視覚化されており、この保護のために座席には、本発明に従うその種のアラームデバイスが位置づけられており、そのアラームデバイスはその後に雨が降り始めた場合にはそれを確実に検出し、例えばＳＭＳ通知又はその他の電気通信によって、使用者が屋根を開けた状態で駐車された車両から遠く離れた場所にいる場合に、例えば雨が降り始めたことに気がつかない家の中にいる場合に、利用者にこの状況を知らせる。
【００８６】
図５には、アラーム発信機に異なる様態のセンサ要素用の２つの収容領域１ｃ、１ｄが設けられている実施が示されている、すなわち、結束バンドとして形成されたセンサ要素の開放端部を収容するための、又は、バンド形状に形成されたその他のセンサ要素４ｃを収容するための、領域１ｃが示されており、そのため、このセンサ要素４ｃは例えば単にこの収容領域内或いはその開口部内へ押し入れられる。
【００８７】
この場合、収容領域１ｃの向かい側には、収容領域１ｄが設けられており、この収容領域１ｄは例えば粘着バンドとして形成されたセンサ要素４ａを収容しまた接触するために利用される。そのために開閉軸１ｅが設けられていてもよく、それは領域１ｃに存在し、図２にも示されるように、その軸の周りで回って、アラーム発信機１を開くことが出来る。
【００８８】
この実施を制限することなく、図５は、アラーム発信機１がこの場合ではその上部側に少なくとも１つのキーボタン１ｆを有することが可能であることを示しており、このキーボタン１ｆは、例えば、収容領域を開くためのセンサ要素の機械的な固定操作、又は、有効化といった操作、のためのものである。
【００８９】
図６は実例を挙げて、好ましいバンド形状のセンサ要素及びアラーム発信機の間の、電気的及び／又は機械的な複数の接続の可能性を示している。センサ要素は、例えば結束バンドとして形成されていてもよいし、又はそこから所望の長さ切断できる継ぎ目のないバンドとして形成されていてもよい。
【００９０】
図６の描写は、バンド形状のそのようなセンサ要素のための収容領域内に、例えばセンサ要素のバンド端部が互いに、例えば半径方向で覆い被さって又は重なりあって配設され得ること（左上）、又は、バンド幅方向で互いに並んで配設され得ること（右上）、又は、それぞれのバンド端部のために個別の収容部或いは接触部が設けられていること（左下）、を明らかにしている。この場合例えば、センサ要素はその都度、或いはそのバンド端部はその都度、互いに向かい合って配設されている２つの接触部の間に挟まれて、そして電気的に連絡され、また同様に機械的に固定される。
【００９１】
上述の実施は、本発明に従うアラームデバイスが複数の使用分野を開拓するものであり、また、アラーム発信機１が常に再利用可能なユニットであるので、安価に実現され得ることを明らかにしている。この再利用可能なユニットは、異なる利用状況又は使用分野をカバーするために、利用者によって、場合によっては異なるセンサ要素を用いて使用され得る。
【００９２】
この場合、個々のセンサ要素を、ピースストックから、又は継ぎ目のないストック、特にはバンドストックから引き出すことが出来るので、そのようなセンサ要素を本発明に従うアラームデバイス用の単独の販売製品として販売店にて提供する可能性が生まれることが長所と見なされる。
【００９３】
そのようなセンサ要素は、本発明に従い、先ずその使用によって消費され、そしてそれゆえ、以前保護された対象或いは防犯された対象がそれを解除されそして新たに保護されるべき場合、或いは、センサ要素が破壊される警告状況が導かれた場合、常に新たに必要とされる。
【００９４】
これは例えば図４に従う利用において当てはまり、その利用では感湿性を有するセンサ要素が使用されている。これが濡らされた場合、センサ要素はその電気的特性を変化し、警告状況を示し、そしてその後は、新たに同じ出来事を知らせるために使用され得ない。従って、他の対象の保護のためには、又は、同一の対象を新たに保護するためには、乾いた状態の新たなセンサ要素４ｄが必要とされる。
【００９５】
図２の使用例に関連して、補足的に、少なくとも片側に粘着性のあるセンサ要素として形成されたバンド４ａが、一回限りの粘着固定の後には、このセンサ要素の電気的特性が変化することなしに、保護対象物からこのセンサ要素を引き離すことが出来ないように、製造されていることが企図され得る。これは、導電線を取り囲んでいる粘着性のマトリクス材が破れなければならないことを強制的に前提とするものではないが、粘着バンドを引き離す際に、それにより生じる力が、少なくとも粘着バンド内或いはその表面上に配される導線５を切断するように構成された実施があり得る。
【００９６】
従って、粘着バンドとして実施されたセンサ要素の構造的な性質によっても、対象をロックするために一度だけ使用され得るセンサ要素の使い捨て製品であること、達成される。
【００９７】
センサ要素がケーブルバインダの構造的な様態或いは機能で実施されている図３の実施においては、更に、センサ要素の穴部内の開放端部の一方向ラッチ構造に基づき、このセンサ要素を切断することなしに、センサ要素４ｃの一度形成された環を開くことは出来ないので、使い捨ての特性は明確である。
【００９８】
従って、この場合もセンサ要素の構造的な性質によって、使い捨て機能が定められる。従って一般的に、それぞれの種類のセンサ要素にとって、これらのセンサ要素が、好ましくはセンサ要素を破壊された状態でのみ或いは少なくともセンサ要素の電気的特性を持続的に変更した状態でのみ、取り除くことが出来るので、一度の使用後、或いは、取り付けられたセンサ要素をロックされた対象から一度取り外した後又は取り除いた後、再度利用することが不可能であるような、機械的構成を有することが企図され得る。
【符号の説明】
【００９９】
１                    アラーム発信機
１ａ、１ｂ            ハウジング部分
１ｃ、１ｄ            収容領域
１ｆ                  操作要素
４ａ、４ｂ、４ｃ      センサ要素
【図１】
2016510149.tif 000003
【図２】
2016510149.tif 000004
【図３】
2016510149.tif 000005
【図４】
2016510149.tif 000006
【図５】
2016510149.tif 000007
【図６】
2016510149.tif 000008
【国際調査報告】
2016510149.tif 000009
2016510149.tif 000010
2016510149.tif 000011
2016510149.tif 000012